(57)【要約】      （修正有）【課題】脚部と接地部によって形成される角度を０〜９０度にロックできる折り畳み式テーブルを提供する。【解決手段】折り畳み式テーブルは、テーブルトップ１と、脚部５と、地面またはテーブルトップ１で支持される接地部１６と、を含み、脚部５と接地部１６が相対的に回転した後、脚部５と接地部１６をロックする第二ヒンジロックを含み、第二ヒンジロックの一端は脚部５の他端に接続され、第二ヒンジロックの他端は接地部１６に接続され、ロック解除状態では、脚部５または接地部１６が相対的に回転し、第二ヒンジロックは、脚部５と接地部１６を、脚部５と接地部１６によって形成された０〜９０°の角度の１つにロックされる。【選択図】図１
0003227288.tif 000002
【実用新案登録請求の範囲】
【請求項１】
折り畳み式テーブルであって、
テーブルトップと、
脚部と、
地面またはテーブルトップで支持される接地部と、を含み、
前記脚部と前記接地部が相対的に回転した後、前記脚部と前記接地部をロックする第二ヒンジロックを含み、該第二ヒンジロックの一端は前記脚部の他端に接続され、前記第二ヒンジロックの他端は前記接地部に接続され、
ロック解除状態では、前記脚部または前記接地部が相対的に回転し、第二ヒンジロックは、前記脚部と前記接地部を、前記脚部と前記接地部によって形成された０〜９０°の角度の１つにロックされる、ことを特徴とする
折り畳み式テーブル。
【請求項２】
前記第二ヒンジロックは、
前記接地部に固定され、その周面に少なくとも２つの溝が設けられた第一コネクターと、
その一端が脚部と固定され、その他端が第一コネクターとヒンジ接続されたロック部と、を含み、
前記ロック部が前記第一コネクター上の任意の溝と係合される場合、前記脚部と前記接地部は相対的に回転することができず、前記ロック部が前記第一コネクター上の任意溝と分離される場合、前記脚部と前記接地部は相対的に回転することができる、ことを特徴とする
請求項１に記載の折り畳み式テーブル。
【請求項３】
前記ロックは、
第二コネクター、弾性部材、タング部及び伝達機構を含み、
前記第二コネクターは、前記第一コネクターとヒンジ接続され、前記第二コネクター上に該第二コネクターに沿って軸方向に伸びる第一組立穴が設けられ、前記第二コネクター上に該第二コネクターに沿って横方向に伸びる第二組立穴が設けられる、
前記弾性部材は、前記第一組立穴内にあり、
前記タング部の一端は前記第一組立穴に位置し、前記弾性部材と接続され、前記タング部の他端は溝と係合または分離される自由端であり、
前記伝達機構は、タング部を第一組立穴に沿って軸方向に変位させ、
該伝達機構の一部は、前記第二組立穴を貫通した後、前記タング部と嵌合し、前記伝達機構の他の部分は空気に曝され、前記伝達機構の高さは、前記第二組立穴の高さよりも低い、ことを特徴とする
請求項２に記載の折り畳み式テーブル。
【請求項４】
前記伝達機構は、手動伝達機構であり、
該手動伝達機構は、
ロッド部を含み、前記ロッド部の一端は、前記第二組立穴および前記タング部を貫通した後、前記ロッド部の少なくとも一端は空気に曝される、ことを特徴とする
請求項３に記載の折り畳み式テーブル。
【請求項５】
前記ロッド部の一端には取付穴が設けられ、前記ロッド部の両端は空気に曝され、
前記手動伝達機構は、接続部材をさらに含み、
接続部材の一端はロッド部上の取付穴に挿入されてロッド部と固定される、ことを特徴とする
請求項４に記載の折り畳み式テーブル。
【請求項６】
前記第二コネクターは、
前記脚部に接続され、その上に前記第一組立穴と前記第二組立穴が配置された固定部と、
前記第一コネクターとヒンジ接続され、前記固定部の一端に配置されたヒンジ接続部と、を含む、ことを特徴とする
請求項３に記載の折り畳み式テーブル。
【請求項７】
前記ロックは、
第二コネクター、タング部及び駆動装置を含み、
前記第二コネクターは、第一コネクターとヒンジ接続され、前記第二コネクター上に該第二コネクターの軸方向に沿う第一取付穴が設けられ、前記第二コネクター上に該第二コネクターの横方向に沿う第二取付穴が設けられ、
前記タング部の一端は、前記第一取付穴に位置し、前記タング部の他端は溝と係合または分離する自由端であり、
前記駆動装置は、タング部を第一取付穴に沿って軸方向に変位させ、
前記駆動装置は、伝達機構および駆動機構を含み、
前記駆動機構は、第二コネクターまたは脚部に固定され、前記駆動機構の出力端は、前記伝達機構の一端に接続され、前記伝達機構の他端は、第二組立穴を貫通した後、前記タング部と嵌合し、前記伝達機構の高さは、前記第二組立穴の高さよりも小さい、ことを特徴とする
請求項２に記載の折り畳み式テーブル。
【請求項８】
前記駆動機構は、
前記第二コネクターまたは脚部とスライド可能に嵌合され、かつ、その一端が伝達機構に接続されたスライダーと、
弾性部材と、を含み、
前記弾性部材の一端はスライダーに接続され、弾性部材の他端は第二コネクターまたは脚部に接続される、ことを特徴とする
請求項７に記載の折り畳み式テーブル。
【請求項９】
前記第二ヒンジロックが前記脚部と前記テーブルトップの間に形成された０〜９０°の角度のうちの１つで前記脚部と前記テーブルトップをロックした後、前記第二ヒンジロックは前記脚部との前記接続を維持し、前記第二ヒンジロックは前記接地部との前記接続を維持することにより、脚部と接地部の相対的な回転を制限する、ことを特徴とする
請求項１〜８のいずれか１項に記載の折り畳み式テーブル。
【請求項１０】
前記脚部は、脚部本体を含み、
該脚部本体は、昇降エアバー、内側スリーブ及び外側スリーブと、を含み、
前記昇降エアバーの一端は前記第二ヒンジロックと固定接続され、
前記昇降エアバーの一部は内側スリーブ内に位置し、前記内側スリーブの一端は前記第二ヒンジロックと固定接続され、
前記外側スリーブの一端は前記昇降エアバーの他端に接続され、前記外側スリーブは、昇降エアバーの昇降に伴って昇降する、ことを特徴とする
請求項１〜９のいずれか１項に記載の折り畳み式テーブル。
【考案の詳細な説明】
【技術分野】
【０００１】
本考案は、折り畳み式テーブルに関する。
【背景技術】
【０００２】
オフィステーブルは通常、テーブルトップ、脚部、および接地部で構成され、脚部の一端はテーブルトップに接続され、脚部の他端は接地部に接続される。ＣＮ１０３１２６３００Ａは折り畳み式テーブルを開示し、テーブルトップが脚部に対して９０度の折り目を形成させるように、該折り畳み式テーブルのテーブルトップと脚部は折り畳み機構によって接続される。
【０００３】
上述構造を備えた折り畳み式テーブルについて、テーブルトップが脚部に対して回転可能であるが、回転後、テーブルトップの向きは、脚部の向きに平行か、脚部の向きに垂直であり、テーブルトップを９０度回転以内に固定することはできない。例えば、テーブルトップを脚部に対して３０度回転させてテーブルトップを傾け、使用者がこのような傾斜角度で使用する必要がある場合、この傾斜角度ではテーブルトップを固定させることができない。これにより、使用者はテーブルトップが必要な傾斜状態で使用することができなくなる。
【０００４】
また、上記構造を備えた折り畳み式テーブルでは、脚部と接地部との関係は固定接続であり、すなわち、脚部と接地部の間を折り畳むことができないため、運搬と持ち運びの際にスペースが占有され、運搬と持ち運びにくくなる。
【考案の概要】
【０００５】
本考案は、テーブルトップと脚部を相対的に回転させた後、テーブルトップと脚部の間の角度を０〜９０度にロックできる折り畳み式テーブルを提供する。
【０００６】
上記技術的問題を解決するための技術的解決手段は、以下のとおりである、
折り畳み式テーブルであって、
テーブルトップと、
脚部と、
地面またはテーブルトップで支持される接地部と、を含み、
前記脚部と前記接地部が相対的に回転した後、前記脚部と前記接地部をロックする第二ヒンジロックを含み、該第二ヒンジロックの一端は前記脚部の他端に接続され、前記第二ヒンジロックの他端は前記接地部に接続され、
ロック解除状態では、前記脚部または前記接地部が相対的に回転し、第二ヒンジロックは、前記脚部と前記接地部を、前記脚部と前記接地部によって形成された０〜９０°の角度の１つにロックされる。
【０００７】
本考案の利点は、脚部と接地部が互いに折り畳まれる場合、使用者が脚部と接地部の間の角度を０〜９０°のうちの１つにして、そして、脚部と接地部が相対的に回転させないようにし、このような構造を備えた折り畳み式テーブルは、保管、輸送または持ち運びやすく、そして少ないスペースを占めるという利点である。
【図面の簡単な説明】
【０００８】
【図１】図１は、単一脚部を備えた折り畳み式テーブルのテーブルトップと脚部の間の角度を９０°にロックし、そして脚部と接地部の間の角度を９０°にロックする概略図である。
【図２】図２は第一ブラケットの概略図である。
【図３】図３は第二ブラケットの概略図である。
【図４】図４は第一ヒンジロックの斜視図である。
【図５】図５は別の方向から見た第一ヒンジロックの斜視図である。
【図６】図６は第二ハウジングを隠した後の第一ヒンジロックの概略図である。
【図７】図７は図６に基づいて伝達ディスクを隠した概略図である。
【図８】図８は図７に基づいてスターホイールを隠した概略図である。
【図９】図９は図１の断面図である。
【図１０】図１０は第一コネクターの概略図である。
【図１１】図１１は第二コネクターの概略図である。
【図１２】図１２は折り畳んだ後にテーブルトップと脚部の間の角度を４５°にロックする概略図である。
【図１３】図１３は折り畳んだ後にテーブルトップと脚部の間の角度を０°にロックする概略図である。
【図１４】図１４は図１３に基づいて接地部との角度を０°にロックする概略図である。
【図１５】図１５は第二ヒンジロックの第二実施例の概略図である。
【図１６】図１６は第二ヒンジロックの第三実施例の概略図である。
【図１７】図１７は二重脚部を備えた折り畳み式テーブルの概略図である。
【図１８】図１８は二重脚部を備えた別の折り畳み式テーブルの（テーブルトップ本体を隠した）概略図である。
【考案を実施するための形態】
【０００９】
実施例１
図１に示すとおり、本考案の折り畳み式テーブルは、テーブルトップ、テーブルトップを支持する脚部、および脚部またはテーブルトップを相対的にロック解除状態で回転する第一ヒンジロックを含み、以下は、各部分およびそれらの間の関係について詳細に説明する。
【００１０】
図１〜図２に示すとおり、前記テーブルトップは、テーブルトップ本体１および第一ブラケットを含み、第一ブラケットは、テーブルトップ本体１と固定された第一支え部２、および第一ヒンジロックの一端に接続された第一耳部３を含み、第一支え部２はボルトによってテーブルトップ本体１に固定される。第一耳部３は、第一支え部２の一端に配置され、第一耳部３と第一支え部２との間に第一角度があり、該第一角度は、好ましくは９０°である。好ましくは、第一支え部２は、第一支え部２と第一耳部３との間に第一角度を形成するように曲げられて第一耳部３を形成する。
【００１１】
図１〜図２に示すとおり、第一ブラケットはさらに、脚部にヒンジ接続された第二耳部４を含み、該第二耳部４は、第一支え部２の他端に配置される。第二耳部４と第一支え部２との間には第二角度があり、該第二角度は好ましくは９０°である。好ましくは、第一支え部２は、第一支え部２と第二耳部４との間に第二角度を形成するように曲げられて第二耳部４を形成する。第一支え部２の両端に第一耳部３および第二耳部４がそれぞれ設けられた後、第一ブラケットの断面は逆Ｕ字状である。
【００１２】
図１および図３に示すとおり、前記脚部は、脚部本体５および第二ブラケットを含み、該第二ブラケットは、脚部本体に固定された第二支え部６、および第一ヒンジロックの他端に接続された第三耳部７を含み、第二支え部６はネジによって脚部本体と固定接続される。第三耳部７は第二支え部６の一端に配置される。第三耳部７と第二支え部６との間には第三角度があり、該第三角度は好ましくは９０°である。好ましくは、第二支え部６は、第二支え部６と第三耳部７との間に第三角度を形成するように曲げられて第三耳部７を形成する。
【００１３】
図１および図３に示すとおり、第二ブラケットはさらに、テーブルトップにヒンジ接続された第四耳部８を含み、該第四耳部８は、第二支え部６の他端に配置される。第四耳部８と第二支え部６との間には第四角度があり、該第四角度は好ましくは９０°である。好ましくは、第二支え部６は、第二支え部６と第四耳部８との間に第四角度を形成するように曲げられて第四耳部８を形成する。第二支え部６の両端に第三耳部７および第四耳部８をそれぞれ設けた後、第二ブラケットの断面は逆Ｕ字状である。
【００１４】
図１および図３に示すとおり、第四耳部８は、第二耳部４とヒンジ接続され、好ましくは、第二耳部４に弧状溝４ａと穴４ｂが設けられ、第四耳部８にガイドピン８ａとヒンジ軸８ｂが設けられ、ガイドピン８ａは弧状溝４ａに隙間ばめされ、ヒンジ軸８ｂは穴４ａに隙間ばめされる。第一ブラケットと第二ブラケットが相対的に回転するとき、ガイドピン８ａと弧状溝４ａとの間の嵌合は、相対的に回転するときに第一ブラケットと第二ブラケットをガイドする。
【００１５】
図１、図１２および図１４に示すとおり、第一ヒンジロックは、脚部とテーブルトップが相対的に回転した後、脚部とテーブルトップをロックし、第一ヒンジロックの一端はテーブルトップに接続され、第一ヒンジロックの他端は脚部に接続される。脚部またはテーブルトップがロック解除状態で相対的に回転し、第一ヒンジロックが脚部とテーブルトップの間に形成された０〜９０°の角度のうちの１つで脚部とテーブルトップをロックした後、テーブルトップと脚部の相対的な回転を制限するように、第一ヒンジロックの一端はテーブルトップとの前記接続を維持し、第一ヒンジロックの他端は脚部との前記接続を維持する。
【００１６】
図１〜図３、および図４〜図８に示すとおり、第一ヒンジロックの一端は第一耳部３に接続され、第一ヒンジロックの他端は第二耳部７に接続される。第一ヒンジロックは、収容キャビティを備えた第一ハウジング９、伝達アセンブリ、ロックブロック１０、伝達ディスク１１、第二ハウジング１２、およびリングスリーブＢを含み、第一ヒンジロックは第一ハウジング９により第一耳部３に接続されることが好ましく、第一ヒンジロックは第二ハウジング１２により第二耳部７に接続されることが好ましい。以下は、第一ヒンジロックの好ましい構造について説明する。
【００１７】
図１〜図３、および図４〜図８に示すとおり、好ましくは、第一耳部３の端面には複数の第一組立穴３ａが設けられ、これらの第一組立穴３ａは同一円周上に均一に分布することが好ましい。第一ハウジング９の端面には複数の第一円周方向位置決め部９ａが設けられ、第一円周方向位置決め部９ａが第一組立穴３ａに嵌合した後、第一ハウジング９と第一耳部３が相対的に回転させない。
【００１８】
図１〜図３、および図４〜図８に示すとおり、第一耳部３の端面に第一軸穴３ｂが設けられ、好ましくは、第一軸穴３ｂは各第一組立穴３ａと連通し、ハンドルＡの一端を回転させて伝達アセンブリに接続した後、使用者がハンドルＡを操作しやすくなるようにハンドルＡの他端が第一軸穴３ｂを通過して空気に曝される。
【００１９】
図１〜図３、および図４〜図８に示すとおり、第二耳部７の端面に複数の第一取付穴７ａが設けられ、これらの第一取付穴７ａは同じ円周上に均一に分布されることが好ましい。第二ハウジング１２の端面には、複数の第二円周方向位置決め部１２ａが設けられ、第二円周方向位置決め部１２ａと第一取付穴７ａが嵌合した後、第二ハウジング１２と第二耳部７が相対的に回転させない。
【００２０】
図１〜図３、および図４〜図８に示すとおり、組み立てるとき、ネジ、リベット、または溶接方式によって、第一ハウジング９を第一耳部３に固定し、第二ハウジング１２を第二耳部７に固定する必要はなく、第二円周方向位置決め部１２ａを第一取付穴７ａに嵌合し、次に、第一耳部３上の第一組立穴３ａと第一円周方向位置決め部９ａを嵌合させた後、第一ヒンジロックを第一耳部３と第二耳部７との間にクランプすることだげでよく、したがって、このような構造により、組み立てプロセスがシンプルで操作しやすい。
【００２１】
図４〜図８に示すとおり、第一ハウジング９の中央部には軸穴が設けられるが、軸穴は段付き穴であることが好ましく、軸穴は第一穴９ｂと第二穴９ｃで構成され、第二穴９ｃの内径は第一穴９ｂよりも大きい。軸穴の周囲に位置する複数のガイドブロック９ｄは、第一ハウジング９の収容キャビティ内に離散的に分布され、隣接する２つのガイドブロック９ｄの間には、第一ハウジング９の径方向に伸びるガイド溝９ｅが形成される。
【００２２】
図４〜図８に示すとおり、角度エネルギーを蓄積および放出し、第一ハウジングに接続された駆動アセンブリの一端は、前記軸穴と隙間ばめされ、好ましくは、伝達アセンブリは第一穴９ｂと隙間ばめされ、伝達アセンブリは第一ハウジング９に対して回転することができる。伝達アセンブリは、伝達軸１３、ボリュートスプリングまたはトーションスプリング１４を含み、ボリュートスプリングまたはトーションスプリング１４の一端は伝達軸１３に固定され、ボリュートスプリングまたはトーションスプリング１４の他端は第一ハウジング９に固定される。好ましい方式は、第一ハウジング９にソケット９ｆを設けることであり、ボリュートスプリングまたはトーションスプリング１４が第一ハウジング９に接続され、そしてボリュートスプリングまたはトーションスプリング１４が第二穴９ｃ内に位置するように、ボリュートスプリングまたはトーションスプリング１４の一端がソケット９ｆに挿入される。
【００２３】
図４〜図８に示すように、ロックブロック１０は前記ガイド溝９ｅに隙間ばめされ、ロックブロック１０には突起１０ａが設けられる。伝達ディスク１１は、ロックブロック１０を駆動して第一ハウジング９の径方向に移動させ、ロックブロック１０と第二ハウジング１２を係合すると、第一ハウジング９と第二ハウジング１２がロックされ、ロックブロック１０が第二ハウジング１２から離れた後、第一ハウジング９と第二ハウジング１２とのロックが解除される。
【００２４】
図４〜図８に示すように、伝達ディスク１１は伝達アセンブリの他端に接続され、好ましくは、伝達軸１３の他端は多角形であり、伝達ディスク１１には多角形の貫通穴が設けられ、伝達軸１３の他端は貫通穴と嵌合して円周方向の動力駆動を形成する。
【００２５】
伝達ディスク１１には複数の溝本体１１ａが設けられ、各溝本体１１ａの一端の幅は他端の幅よりも小さく、溝本体１１ａは図６に示す形状を採用することが好ましく、溝本体１１ａは、一端の幅が他端に向かって次第に狭くなる構造を採用してもよく、ロックブロックの突起は溝本体１１ａに位置し、伝達ディスク１１が回転すると、溝本体１１ａの壁面が突起１０ａを駆動して、ロックブロック１０を第一ハウジング９の径方向に移動させる。
【００２６】
図４〜図８に示すとおり、第二ハウジング１２の一端は、第一ハウジング９の収容キャビティに隙間ばめされ、リングスリーブＢは、第一ハウジング９と第二ハウジング１２の周方向に沿って第一ハウジング９と第二ハウジングを嵌着する。伝達アセンブリによって放出された角度エネルギーは、第一ハウジング９と第二ハウジング１２が相対的に回転させないように、伝達ディスク１１によりロックブロック１０と第二ハウジング１２を係合させる。
【００２７】
図４〜図８に示すとおり、伝達軸１３にトルクが加えられると、伝達軸１３が順方向に回転し、伝達軸１３が伝達ディスク１１を順方向に回転させ、溝本体１１ａの壁面により突起１０ａを駆動してロックブロック１０が第一ハウジング９の径方向に沿って第一ハウジング９の中心に移動させ、ロックブロック１０は、第二ハウジング１２に対するロック効果を失い、それにより、第一ハウジング９と第二ハウジング１２は相対的に回転することができる。伝達軸１３が順方向に回転すると、ボリュートスプリングまたはトーションスプリング１４が弾性変形させ、それにより、ボリュートスプリングまたはトーションスプリング１４にエネルギーが蓄積される。
【００２８】
図４〜図８に示すとおり、伝達軸１３に加えられたトルクが解放されると、ボリュートスプリングまたはトーションスプリング１４は、蓄積されたエネルギーを放出し、伝達軸１３を逆転させる。伝達軸１３を反転させると、伝達ディスク１１が反転し、溝本体１１ａの壁面により、突起１０ａを駆動してロックブロック１０が第一ハウジング９の径方向に沿って第一ハウジング９から離れた中心に移動させる。ロックブロック１０と第二ハウジング１２が係合するまで、ロックブロック１０と第二ハウジング１２を再びロックさせ、このとき、第一ハウジング９と第二ハウジング１２は相対的に回転することができない。
【００２９】
図４〜図８に示すとおり、好ましくは、前記第二ハウジング１２の内周面に第一ギアが設けられ、第二ハウジング１２と嵌合するロックブロック１０の一端に第二ギア１０ｂが設けられ、ロックブロック１０と第二ハウジング１２を係合させて第一ハウジング９と第二ハウジング１２にロック効果を形成するように第一ギアと第二ギア１０ｂを噛み合う。
【００３０】
図４〜図８に示すとおり、好ましくは、第一ヒンジロックにはまたスターホイール１５を含み、前記伝達アセンブリはスターホイール１５を貫通し、すなわち、伝達軸１３はスターホイール１５を貫通し、伝達軸１３がスターホイール１５を回転させ、スターホイール１５の円周面には、ブロック１０と第二ハウジング１２との係合が維持されると、ロックブロック１０に当接する当接部１５ａが設けられる。
【００３１】
ロックブロック１０に対する当接部１５ａの当接作用により、ロックブロック１０と第二ハウジングとの間の係合が緩むことが防止され、伝達軸１３が順方向に回転すると、当接部１５ａはロックブロック１０から離れ、スターホイール１５の円周面によりロックブロック１０と接触し、それにより、ロックブロック１０と当接する当接部１５ａの端部とスターホイール１５の円周面との間には、ロックブロック１０の径方向変位のための空間が形成される。
【００３２】
図４〜図８に示すとおり、前記ガイドブロック９ｄには、第一溝９ｇが設けられ、スターホイール１５の円周面には、第一溝９ｇと嵌合してスターホイール１５と伝達アセンブリの回転角度を制限する遮断部１５ｂが設けられる。遮断部１５ｂと第一溝９ｇとの嵌合により、伝達軸１３が過渡的に回転したときに、ボリュートスプリングまたはトーションスプリング１４が破損することを防止することができる。
【００３３】
図４〜図８に示すとおり、上記第一ヒンジロックの構造により、ロックブロック１０と第二ハウジング１２が係合状態にある場合、第一ハウジング９と第二ハウジング１２を相対的に回転させないようにし、テーブルトップと脚部は相対的に回転できないため、テーブルトップと脚部は相対的に折り畳むことができない。
【００３４】
伝達軸１３にトルクを加えた後、伝達軸１３が順方向に回転し、伝達軸１３により伝達ディスク１１を順方向に回転させ、溝本体１１ａの壁面は、突起１０ａを駆動してロックブロック１０が第一ハウジング９の径方向に沿って第一ハウジング９の中心に移動させ、ロックブロック１０と第二ハウジング１２は分離した状態にあり、ロックブロック１０は第二ハウジング１２に対するロック効果を失うため、第一ハウジング９と第二ハウジング１２は相対的に回転することができ、テーブルトップと脚部は相対的に折り畳む。ロックブロック１０と第二ハウジング１２は、ギアまたは摩擦部材によって嵌合するため、テーブルトップと脚部が相対的に折り畳まれる場合、テーブルトップと脚部の間の角度は０〜９０°である。
【００３５】
図１および図９に示すとおり、本実施例における折り畳み式テーブルは、さらに、地面またはテーブルトップ上で支持された接地部１６、および脚部と接地部１６が相対的に回転した後に脚部と接地部１６をロックする第二ヒンジロックを含み、該第二ヒンジロックの一端は脚部の他端に接続され、第二ヒンジロックの他端は接地部に接続される。ロック解除状態で脚部または接地部が相対的に回転した後、第二ヒンジロックは、脚部と接地部を、脚部と接地部によって形成された０〜９０°の角度の１つにロックされる。
【００３６】
図９〜図１１に示すとおり、好ましくは、前記第二ヒンジロックは、脚部と接地部を、脚部と接地部によって形成された０〜９０°のいずれかの角度でロックした後、脚部と接地部１６が相対的に回転することを制限するように、第二ヒンジロックは、脚部との前記接続を維持し、第二ヒンジロックは、接地部１６との前記接続を維持する。
【００３７】
図９〜図１１に示すとおり、前記第二ヒンジロックは、接地部１６に固定された第一コネクター１７およびロックを含み、第一コネクター１７は、ネジによって接地部１６に一体的に固定されることが好ましく、接地部１６が好ましく採用する構造は、支持部およびホイールで構成され、ホイールは支持部に接続され、このような構造の接地部１６は全体として移動可能である。以下は、第二ヒンジロックの構造について説明する。
【００３８】
図９〜図１１に示すとおり、第一コネクター１７の円周面には、少なくとも２つの溝１７ａが設けられ、溝１７ａの数は、必要に応じて、例えば、３つまたは４つ以上に設定することができる。ロックの一端は脚部に固定され、ロックの他端は第一コネクター17にヒンジ接続され、ロックが第一コネクター１７の溝１７ａのいずれかと係合される場合、脚部と接地部１６は相対的に回転することができず、ロックが第一コネクター１７の溝１７ａのいずれかから分離される場合、脚部と接地部１６は相対的に回転することができる。
【００３９】
図９〜図１１に示すとおり、ロックは、第二コネクター１８、弾性部材１９、タング部２０、および伝達機構を含み、第二コネクター１８は、第一コネクター１７とヒンジ接続され、第二コネクター１８には、該第二コネクター１８に沿って軸方向に伸びる第一組立穴１８ａが設けられ、第二コネクター１８には、該第二コネクターに沿って横方向に伸びる第二組立穴１８ｂが設けられ、第一組立穴１８ａと第二組立穴１８ｂの両方は貫通穴である。
【００４０】
図９〜図１１に示すとおり、弾性部材１９は第一組立穴１８ａに配置され、弾性部材１９はバネであることが好ましく、弾性部材１９の一端は第二コネクター１８または脚部本体５により制限され、第一組立穴１８ａが段付き穴である場合、弾性部材１９は、第一組立穴の段差により制限され、脚部本体５の端部が第一組立穴１８ａに挿入されると、弾性部材１９は脚部本体５の端部に制限することができる。
【００４１】
図９〜図１１に示すとおり、タング部２０の一端は、第一組立穴１８ａに配置され、そして弾性部材１９に接続され、タング部２０の他端は、溝１７ａと嵌合または分離する自由端であり、タング部２０が溝１７ａに挿入されると、タング部２０は、第一コネクター１７と第二コネクター１８にロック効果を形成し、第一コネクター１７と第二コネクター１８は、相対的に回転することができない。タング部２０が溝１７ａから完全に引き抜かれると、第一コネクター１７と第二コネクター１８に対するロックが解除され、第一コネクター１７と第二コネクター１８が相対的に回転することができる。
【００４２】
図９〜図１１に示すとおり、伝達機構は、第一組立穴に沿ってタング部２０を軸方向に変位させ、該伝達機構の一部は、第二組立穴１８ｂを貫通した後、タング部２０と嵌合し、伝達機構の他の部分は空気に曝され、伝達機構の高さは、第二組立穴１８ｂの高さよりも低い。
【００４３】
図９〜図１１に示すとおり、前記伝達機構は手動伝達機構であり、該手動伝達機構は、ロッド部２１を含み、第二組立穴１８ｂは、ウエスト穴または角穴であるため、ロッド部２１の高さまたは外径は、第二組立穴の高さよりも小さい。ロッド部２１の少なくとも一端は空気に曝され、ロッド部２１の一端は、第二組立穴１８ｂおよびタング部を貫通した後に空気に曝され、ロッド部２１の他端も空気に曝される。
【００４４】
図９〜図１１に示すとおり、親指と人差し指でロッド部２１の両端をクランプし、そしてロッド部２１を押して弾性部材１９を圧縮すると、ロッド部２１はタング部２０を駆動して第一組立穴１８ａに沿って軸方向に変位させ、それにより、タング部２０は溝１７ａから分離され、脚部と接地部１６は相対的に回転することができ、それにより、接地部１６を脚部に対して０〜９０°の間で折り畳まれる。
【００４５】
図９〜図１１に示すとおり、ロッド部２１の一端には取付穴が設けられ、ロッド部２１の他端には接触面積を大きくするための第一フランジ２１ａが設けられる。手動伝達機構は、さらに、接続部材２２を含み、接続部材２２の一端は、ロッド部２１上の取付穴に挿入されてロッド部２１に固定され、接続部材２２の他端には、接触面積を大きくするための第二フランジ２２ａが設けられる。好ましくは、ロッド部２１上の取付穴はネジ穴であり、接続部材２２はボルトである。
【００４６】
図９〜図１１に示すとおり、前記第二コネクター１８は、脚部に接続された固定部１８ｃ、および第一コネクター１７にヒンジ接続されたヒンジ接続部１８ｄを含み、前記第一組立穴１８ａと第二組立穴１８ｂの両方は固定部１８ｃに配置され、ヒンジ接続部１８ｄは２つであり、かつ、固定部の一端に配置され、前記タング部２０の一部は２つのヒンジ接続部１８ｄの間に配置される。
【００４７】
図９〜図１１に示すとおり、好ましくは、前記脚部本体５は、昇降エアバー５ａ、内側スリーブ５ｂ、外側スリーブ５ｃを含み、昇降エアバー５ａの一端は第二ヒンジロックと固定接続される。昇降エアバー５ａの一端は第二コネクター１８に固定接続され、昇降エアバー５ａの一部は内側スリーブ５ｂ内に位置し、昇降エアバー５ａの他端は外側スリーブ５ｃの一端または第二ブラケットに固定される。
【００４８】
図９〜図１１に示すとおり、内側スリーブ５ｂの一端は、第二ヒンジロックに固定接続され、内側スリーブ５ｂは、前記固定部１８ｃに嵌着された後、該固定部１８ｃに固定され、好ましくは、内側スリーブ５ｂと固定部１８ｃは嵌合ばめされ、ロッド部２１の端部が逃がし穴５ｄを貫通しやすくなるように、内側スリーブ５ｂの側面には逃がし穴５ｄが設けられ、逃がし穴５ｄはウエスト穴または角穴である。外側スリーブ５ｃは内側スリーブ５ｂに嵌着され、外側スリーブ５ｃは内側スリーブ５ｂと隙間ばめされる。外側スリーブ５ｃの一端は、昇降エアバー５ａの他端または第二ブラケットに固定され、好ましくは、外側スリーブ５ｃの一端は、前記第二支え部６に固定され、外側スリーブ５ｃは、昇降エアバー５ａの昇降に伴って昇降する。
【００４９】
図９〜図１１に示すとおり、内側スリーブ５ｂと外側スリーブ５ｃの嵌合により、昇降エアバー５ａが遮断され、昇降エアバー５ａがテーブルトップを上下移動させると、昇降エアバー５ａの動きを観測できなくなり、このようにして、使用時に折り畳み式テーブルの美学を向上させるのに役立つ。
【００５０】
本考案の折り畳み式テーブルの構造は、上記実施例に限定されず、例えば、  （ａ）、第一ヒンジロックについて、ロックブロック１０と第二ハウジング１２との係合は、上記ギア嵌合方式に限定されず、また、第二ハウジング１２の内周面に第一摩擦部材が設けられ、ロックブロック１０と第二ハウジング１２を嵌合する一端に第二摩擦部材が設けられ、第一摩擦部材と第二摩擦部材の両方は、摩擦係数の高い材料で作成され、第一摩擦部材と第二摩擦部材は、表面粗さを増加させることにより、両者の摩擦係数を増加させることができる。第一摩擦部材と第二摩擦部材の嵌合力により、第一ハウジング９と第二ハウジング１２が相対的に回転することを防止する。
【００５１】
（ｂ）第二ヒンジロックについて、ロックは次の構造を採用することができる、
図１５に示すように、ロックは、第二コネクター１８、タング部２０および駆動装置を含み、第一コネクター１７の円周面には、少なくとも２つの溝１７ａが設けられ、第二コネクター１８は、第一コネクター１７とヒンジ接続される。第二コネクター１８には、該第二コネクターの軸方向に沿って伸びる第一組立穴１８ａが設けられ、第二コネクター１８には、該第二コネクターに沿って横方向に伸びる第二組立穴１８ｂが設けられる。タング部２０の一端は第一組立穴１８ａ内に位置し、タング部２０の他端は溝１７ａと係合または分離する自由端である。
【００５２】
図１５に示すとおり、駆動装置は、タング部２０が第一組立穴１８ａの軸方向に沿って変位させ、駆動装置は、伝達機構および駆動機構を含み、駆動機構は、第二コネクター１８または脚部に固定され、駆動機構の出力端は、伝達機構の一端に接続され、伝達機構の他端は、第二組立穴１８ｂを貫通した後、タング部２０と嵌合し、伝達機構の高さは、第二組立穴１８ｂの高さよりも小さく、伝達機構は、好ましく、ロッド部２１を使用する。第二組立穴１８ｂは、ウエスト穴または角穴であるため、ロッド部２１の高さまたは外径は、第二組立穴１８ｂの高さよりも小さい。
【００５３】
図１５に示すとおり、前記駆動機構は、第二コネクター１８または脚部とスライド可能に嵌合するスライダー２３、および弾性部材１９を含み、スライダー２３は空気に曝され、スライダー２３の一端は伝達機構に接続され、伝達機構は、ロッド部２１であり、すなわち、スライダー２３の一端はロッド部２１に接続され、弾性部材１９の一端はスライダー２３の他端に接続され、弾性部材１９の他端は第二コネクター１８または脚部に接続される。
【００５４】
図１５に示すとおり、本実施例では、内側スリーブ５ｂの外壁にスライドレール５ｅが設けられ、スライダー２３は内側スリーブ５ｂ上のスライドレール５ｅとスライド可能に嵌合され、弾性部材１９の他端は、内側スリーブ５ｂに接続される。
【００５５】
使用時に、親指と人差し指でスライダー２３をクランプし、スライダー２３を押して弾性部材１９を圧縮すると、ロッド部２１がタング部２０を駆動して第一組立穴１８ａに沿って軸方向に変位させ、それによりタング部２０は溝１７ａから分離され、脚部と接地部１６は相対的に回転することができ、その結果、接地部１６は脚部に対して０〜９０°の間で折り畳まれる。
【００５６】
（ｃ）上記実施例（ｂ）における駆動機構の構造は手動駆動方式であり、図１６に示すとおり、駆動機構はまた、電気線形駆動機構を使用することができる。該電気線形駆動機構は、電動モーター２４、第一線形伝達部材２５、および第二線形伝達部材２６を含み、電動モーター２４の出力軸にはネジが設けられる。第一線形伝達部材２５は、電動モーター２４の出力軸に嵌着され、そして該出力軸とネジ接続され、第一線形伝達部材２５の周面には溝本体が設けられ、前記第二コネクター１８または脚部には脚部の軸方向に平行なスライドレール５ｅが設けられ、溝本体とスライドレール５ｅは隙間ばめされ、溝本体とスライドレール５ｅとの嵌合により、第一線形伝達部材２５の回転を防止し、そして第一線形伝達部材２５の移動時に該第一線形伝達部材２５をガイドすることができる。第二線形伝達部材２６の一端は伝達機構に接続され、第二線形伝達部材２６の他端は前記第一線形伝達部材２５に接続される。伝達機構はロッド部２１であり、第二線形伝達部材２６の一端はロッド部２１に接続される。
【００５７】
図１６に示すとおり、使用時、電動モーター２４を順方向に回転させるように制御し、電動モーター２４の出力軸を順方向に回転させて第一線形伝達部材２５を駆動してスライドレール５ｅに沿ってテーブルトップが位置する方向（上むき）に直線移動させ、第一線形伝達部材２５は第二線形伝達部材２６を駆動してロッド部２１を上向きに移動させ、その結果、タング部２０が溝１７ａから分離させ、脚部と接地部１６が相対的に回転することができ、それによって接地部１６を脚部に対して０〜９０°の間に折り畳む。所望の角度に折り畳んだ後、電動モーター２４を逆転させるように制御し、駆動機構はタング部２０を対応する角度で溝１７ａに挿入するように駆動し、それによって第一コネクター１７と第二コネクター１８をロックする。
【００５８】
（ｄ）テーブルトップと脚部を接続する上記第一ヒンジロックは、上記第二ヒンジロックの構造を採用することもできる。
【００５９】
（ｅ）脚部と接地部１６を接続する上記第二ヒンジロックも上記第一ヒンジロックの構造を採用することができる。
【００６０】
（ｆ）上記図１に示す折り畳み式テーブルは単一脚部構造であり、折り畳み式テーブルは２本の脚部を備えることができ、各脚部とテーブルトップとの接続方式、および脚部と接地部１６との接続方式の両方は上記のいずれかの実施例と同じである。図１７に示すとおり、本実施例における接続方法は実施例１と同じであり、２つの第一ヒンジロックの間は１つのハンドルＡで接続され、ハンドルＡで軸を回転させると、２つの第一ヒンジロックがテーブルトップと脚部に対するロックを同時に解除することができ、テーブルトップと脚部との間の角度を調整した後、ハンドルＡが解放され、第一ヒンジロックは、ボリュートスプリングまたはトーションスプリング１４によってリセットされ、角度を調整した後のテーブルトップと脚部をロックする。
【００６１】
（ｇ）上記（ｆ）における２つの脚部も、図１８に示す構造を採用することができ、このような構造を備えた折り畳み式テーブルは、テーブルトップと脚部の間に第一ヒンジロックが設けられ、第一ヒンジロックによってテーブルトップは脚部に対して折り畳み可能であり、脚部と接地部１６の間に第二ヒンジロックが設けられないため、接地部１６は脚部に対して折り畳むことができない。また、第一ブラケットと第二ブラケットの構造は、上記実施例１との違いは、第一ブラケットが第一支え部２と第一耳部３で構成され、第二ブラケットが第二支え部６と第三耳部７で構成されることであり、ここで、第二支え部６はビームであり、第二支え部６は脚部に接続されるだけではなく、またテーブルトップ本体１を支持する。第二支え部６と第三耳部７は、ネジによって固定接続される。第二ブラケットの一端にそれぞれ１つの第二ヒンジロックが取り付けられ、それぞれの第二ヒンジロックは１つのハンドルＡに接続され、または、ハンドルＡは、方式（ｆ）のように１つのハンドルＡを使用することもでき、ハンドルＡは、ハンドル本体と軸で構成され、軸はハンドル本体に接続され、軸はまた２つの第二ヒンジロックには接続され、ハンドル本体で軸を回転させると、テーブルトップと脚部に対する２つの第一ヒンジロックのロックを同時に解除することができる。
【００６２】
（ｈ）内側スリーブ５ｂと外側スリーブ５ｃの断面形状は、正方形でも円形でもよい。
【符号の説明】
【００６３】
Ａ−ハンドル、Ｂ−リングスリーブ
１−テーブルトップ本体、２−第一支え部、３−第一耳部、３ａ−第一組立穴、３ｂ−第一軸穴、４−第二耳部、４ａ−弧状溝、４ｂ−穴、５−脚部本体、５ａ−昇降エアバー、５ｂ−内側スリーブ、５ｃ−外側スリーブ、６−第二支え部、７−第三耳部、７ａ−第一取付穴、８−第四耳部、８ａ−ガイドピン、８ｂ−ヒンジ軸、９−第一ハウジング、９ａ−第一円周方向位置決め部、９ｂ−第一穴、９ｃ−第二穴、９ｄ−ガイドブロック、９ｅ−ガイド溝、９ｆ−ソケット、９ｇ−第一溝、１０−ロックブロック、１０ａ−突起、１０ｂ−第二ギア、１１−伝達ディスク、１１ａ−溝本体、１２−第二ハウジング、１２ａ−第二円周方向位置決め部、１３−伝達軸、１４−ボリュートスプリングまたはトーションスプリング、１５−スターホイール、１５ａ−当接部、１５ｂ−遮断部。
１６−接地部、１７−第一コネクター、１７ａ−溝、１８−第二コネクター、１８ａ−第一組立穴、１８ｂ−第二組立穴、１８ｃ−固定部、１８ｄ−ヒンジ部、１９−弾性部材、２０−タング部、２１はロッド部、２１ａ−第一フランジ、２２−接続部材、２２ａ−第二フランジ、２３−スライダー、２４−電動モーター、２５−第一線形駆動部材、２６−第二線形駆動部材。
【図１】
0003227288.tif 000003
【図２】
0003227288.tif 000004
【図３】
0003227288.tif 000005
【図４】
0003227288.tif 000006
【図５】
0003227288.tif 000007
【図６】
0003227288.tif 000008
【図７】
0003227288.tif 000009
【図８】
0003227288.tif 000010
【図９】
0003227288.tif 000011
【図１０】
0003227288.tif 000012
【図１１】
0003227288.tif 000013
【図１２】
0003227288.tif 000014
【図１３】
0003227288.tif 000015
【図１４】
0003227288.tif 000016
【図１５】
0003227288.tif 000017
【図１６】
0003227288.tif 000018
【図１７】
0003227288.tif 000019
【図１８】
0003227288.tif 000020